(57)【要約】【課題】補助弾性部材が一箇所に集まることはなく、前後胴周り域に位置する液吸収パネルの排泄物吸収機能を十分に利用することができるパンツ型の使い捨て着用物品を提供する。【解決手段】物品１Ａは、胴周り方向へ延びる補助弾性部材１６がベースシート２の前後胴周り域４，６における胴周り用弾性部材１５と脚周り開口１２との間に収縮可能に取り付けられ、ベースシート２が第１シート１３と第２シート１４とから形成され、補助弾性部材１６が第１弾性部材２０と第２弾性部材２１とから形成されている。物品１Ａでは、第１および第２弾性部材２０，２１が両端部２２，２３と中央部２４，２５と残余部２６，２７とを有し、第１および第２弾性部材２０，２１の両端部２２，２３が第１および第２シート１３，１４に固着され、第１弾性部材２０の中央部２４が第２シート１３に固着され、第１および第２弾性部材２０，２１の残余部２６，２７と第２弾性部材２１の中央部２５とが第１および第２シート１３，１４から遊離している。【選択図】　　　図１
2004089403.tif 000002
【特許請求の範囲】
【請求項１】
前後胴周り域およびそれら胴周り域の間に位置する股下域を画成するベースシートと、前記ベースシートの前後胴周り域間に延びていて該ベースシートの内側に固着された液吸収パネルとから構成され、前記ベースシートの前後胴周り域の側縁近傍が連結されて胴周り開口と一対の脚周り開口とが形成され、前記ベースシートの前後胴周り域における前記胴周り開口の縁部には、胴周り方向へ延びる胴周り用弾性部材が収縮可能に取り付けられ、前記ベースシートの前後胴周り域のうちの少なくとも該前胴周り域における前記胴周り用弾性部材と前記脚周り開口との間には、縦方向へ所与寸法離間して胴周り方向へ延びる複数条の補助弾性部材が収縮可能に取り付けられたパンツ型の使い捨て着用物品であって、
前記ベースシートが、前記パネルの側に位置する第１シートと、前記第１シートの外側に位置する第２シートとから形成され、前記補助弾性部材が、前記胴周り用弾性部材の直下に位置して前記第１および第２シートの間に介在する複数条の第１弾性部材と、前記第１弾性部材の直下に位置して前記第１および第２シートの間に介在する複数条の第２弾性部材とから形成され、
前記第１および第２弾性部材が、前記ベースシートの側縁近傍に延びる両端部と、前記パネルを横切る中央部と、前記パネルの両側部の外側に位置して前記両端部と前記中央部との間に延びる残余部とを有し、
前記第１および第２弾性部材の両端部と前記第１弾性部材の中央部とが、前記第１シートと前記第２シートとのうちの少なくとも一方に固着され、前記第１および第２弾性部材の残余部と前記第２弾性部材の中央部とが、前記第１シートと前記第２シートとから遊離していることを特徴とする前記着用物品。
【請求項２】
所定の表示要素を有するインジケーションシートが、前記第２弾性部材の中央部が延びる部位に配置されて前記第２シートの内面に固着されている請求項１記載の着用物品。
【請求項３】
前記第１および第２弾性部材の間に位置して前記第１シートと前記第２シートとを固着する多数の固着部が、前記第１および第２弾性部材の残余部が延びる部位に形成されている請求項１または請求項２に記載の着用物品。
【請求項４】
前記第１および第２弾性部材の間に位置して前記第１シートと前記第２シートとを固着する多数の固着部が、前記前後胴周り域に延びる前記パネルの両側部に位置している請求項１ないし請求項３いずれかに記載の着用物品。
【請求項５】
脚周り方向へ延びる脚周り用弾性部材が、前記脚周り開口の縁部に沿って収縮可能に取り付けられている請求項１ないし請求項４いずれかに記載の着用物品。
【請求項６】
前記パネルが、肌当接側に位置する透液性表面シートと、肌非当接側に位置する不透液性裏面シートと、前記表裏面シートの間に介在する吸液性コアとから形成されている請求項１ないし請求項５いずれかに記載の着用物品。
【発明の詳細な説明】
【０００１】
【発明の属する技術分野】
本発明は、排泄物を吸収、保持するパンツ型の使い捨て着用物品に関する。
【０００２】
【従来の技術】
特開２０００−１０７２２５公報は、透液性表面シートと不透液性裏面シートとの間に吸液性コアが介在し、前後胴周り域の側縁近傍が固着されて胴周り開口と一対の脚周り開口とが形成され、胴周り開口の縁部に位置して胴周り方向へ収縮可能に取り付けられた複数条の胴周り用弾性部材と、脚周り開口の縁部に位置して脚周り方向へ収縮可能に取り付けられた複数条の脚周り用弾性部材と、胴周り用弾性部材と脚周り開口との間に位置して胴周り方向へ収縮可能に取り付けられた複数条の補助弾性部材とを有するパンツ型の使い捨ておむつを開示している。
【０００３】
補助弾性部材は、縦方向へ所与寸法離間して前胴周り域に配置され、前胴周り域の側縁近傍に位置する両端部と、両端部の間に位置してコアを横切る中央部とを有する。胴周り弾性部材の両側部は、表面シートと裏面シートとの間に介在し、それらシートに固着されている。補助弾性部材の中央部は、裏面シートとコアとに固着されておらず、それらから遊離している。このおむつは、コアを横切る補助弾性部材の中央部が裏面シートとコアとに固着されていないので、補助弾性部材が胴周り方向内方へ収縮したとしても、補助弾性部材の中央部が延びる裏面シートの部位にギャザーが生じ難く、裏面シートの肌触りが滑らかになるという効果を有する。
【０００４】
【発明が解決しようとする課題】
前記公報に開示のおむつでは、その着用中に着用者の腹部の動きが前胴周り域に延びる補助弾性部材に伝わってそれら補助弾性部材の中央部が縦方向へずれ動き、それら補助弾性部材が前胴周り域の一箇所に集まる場合がある。補助弾性部材が一箇所に集まると、集まった箇所においてそれら補助弾性部材が束となり、補助弾性部材の伸長応力が増加して箇所において着用者の腹部が必要以上に締め付けられてしまう。また、補助弾性部材が一箇所に集まると、それら補助弾性部材の収縮力を利用して前胴周り域に位置するコアの全域を着用者の腹部に押し当てることができず、前胴周り域に位置するコアの排泄物吸収機能を十分に利用することができない場合がある。
【０００５】
本発明の課題は、補助弾性部材が一箇所に集まることはなく、前後胴周り域に位置する液吸収パネルの排泄物吸収機能を十分に利用することができるパンツ型の使い捨て着用物品を提供することにある。
【０００６】
【課題を解決するための手段】
前記課題を解決するための本発明の前提は、前後胴周り域およびそれら胴周り域の間に位置する股下域を画成するベースシートと、前記ベースシートの前後胴周り域間に延びていて該ベースシートの内側に固着された液吸収パネルとから構成され、前記ベースシートの前後胴周り域の側縁近傍が連結されて胴周り開口と一対の脚周り開口とが形成され、前記ベースシートの前後胴周り域における前記胴周り開口の縁部には、胴周り方向へ延びる胴周り用弾性部材が収縮可能に取り付けられ、前記ベースシートの前後胴周り域のうちの少なくとも該前胴周り域における前記胴周り用弾性部材と前記脚周り開口との間には、縦方向へ所与寸法離間して胴周り方向へ延びる複数条の補助弾性部材が収縮可能に取り付けられたパンツ型の使い捨て着用物品である。
【０００７】
前記前提における本発明の特徴は、前記ベースシートが、前記パネルの側に位置する第１シートと、前記第１シートの外側に位置する第２シートとから形成され、前記補助弾性部材が、前記胴周り用弾性部材の直下に位置して前記第１および第２シートの間に介在する複数条の第１弾性部材と、前記第１弾性部材の直下に位置して前記第１および第２シートの間に介在する複数条の第２弾性部材とから形成され、
前記第１および第２弾性部材が、前記ベースシートの側縁近傍に延びる両端部と、前記パネルを横切る中央部と、前記パネルの両側部の外側に位置して前記両端部と前記中央部との間に延びる残余部とを有し、
前記第１および第２弾性部材の両端部と前記第１弾性部材の中央部とが、前記第１シートと前記第２シートとのうちの少なくとも一方に固着され、前記第１および第２弾性部材の残余部と前記第２弾性部材の中央部とが、前記第１シートと前記第２シートとから遊離していることにある。
【０００８】
本発明の実施の態様の一例としては、所定の表示要素を有するインジケーションシートが前記第２弾性部材の中央部が延びる部位に配置されて前記第２シートの内面に固着されている。
【０００９】
本発明の実施の態様の他の一例としては、前記第１および第２弾性部材の間に位置して前記第１シートと前記第２シートとを固着する多数の固着部が前記第１および第２弾性部材の残余部が延びる部位に形成されている。
【００１０】
本発明の実施の態様の他の一例としては、前記第１および第２弾性部材の間に位置して前記第１シートと前記第２シートとを固着する多数の固着部が前記前後胴周り域に延びる前記パネルの両側部に位置している。
【００１１】
本発明の実施の態様の他の一例としては、脚周り方向へ延びる脚周り用弾性部材が前記脚周り開口の縁部に沿って収縮可能に取り付けられている。
【００１２】
本発明の実施の態様の他の一例としては、前記パネルが、肌当接側に位置する透液性表面シートと、肌非当接側に位置する不透液性裏面シートと、前記表裏面シートの間に介在する吸液性コアとから形成されている。
【００１３】
【発明の実施の形態】
添付の図面を参照し、本発明に係るパンツ型の使い捨て着用物品の詳細を説明すると、以下のとおりである。
【００１４】
図１，２は、一例として示す着用物品１Ａの斜視図と、前後胴周り域４，６の連結を解除した状態で示す図１の物品１Ａの部分破断展開平面図とであり、図３，４は、図２のＩ−Ｉ線矢視断面図と、図２のＩＩ−ＩＩ線端面図とである。図１，２では、胴周り方向を矢印Ｘ、縦方向を矢印Ｙで示し、脚周り方向を矢印Ｚ（図１のみ）で示す。なお、内外側シート１３，１４（第１および第２シート）やインジケーションシート１８、表裏面シート３０，３１の内面とは、コア３２に対向する面をいい、それらシート１３，１４，１８，３０，３１の外面とは、コア３２に非対向の面をいう。
【００１５】
物品１Ａは、ベースシート２と、ベースシート２の内側に固着された液吸収パネル３とから構成されている。ベースシート２は、互いに対向する前胴周り域４および後胴周り域６と、それら胴周り域４，６の間に位置する股下域５とを画成している。パネル３は、ベースシート２の前後胴周り域４，６間に延び、ベースシート２の前後胴周り域４，６に位置して胴周り方向へ延びる両端部７と、ベースシート２の前後胴周り域４，６間に延びる両側部８とを有する。
【００１６】
前後胴周り域４，６では、パネル３の両側部８の外側に位置するベースシート２の側縁９が合掌状に重なり合い、ベースシート２の側縁９近傍が縦方向へ間欠的に並ぶ多数の熱融着線１０を介して連結されている。物品１Ａは、パンツ型を呈し、胴周り開口１１とその下方に一対の脚周り開口１２とを有する。股下域５は、物品１Ａの胴周り方向内方へ向かって弧を画いている。ベースシート２は、図２に示すように、その平面形状が実質的に砂時計型を呈する。
【００１７】
ベースシート２は、パネル３の側に位置する内側シート１３（第１シート）と、内側シート１３の外側に位置する外側シート１４（第２シート）とから形成されている。内側シート１３と外側シート１４とには、疎水性繊維不織布が使用されている。ベースシート２の前後胴周り域４，６における胴周り開口１１の縁部１１ａには、胴周り方向へ延びる複数条の胴周り用弾性部材１５が収縮可能に取り付けられている。ベースシート２の前後胴周り域４，６における胴周り用弾性部材１５と脚周り開口１２との間には、縦方向へ所与寸法離間して胴周り方向へ延びる複数条の補助弾性部材１６が収縮可能に取り付けられている。ベースシート２の股下域５における脚周り開口１２の縁部１２ａには、脚周り方向へ延びる複数条の脚周り用弾性部材１７が収縮可能に取り付けられている。ベースシート２の前後胴周り域４，６には、表示要素１９を有するインジケーションシート１８が取り付けられている。
【００１８】
胴周り用弾性部材１５は、内側シート１３と外側シート１４との間に介在し、それらシート１３，１４の内外面に間欠的に塗布されたホットメルト型接着剤３５を介して固着されている。補助弾性部材１６は、胴周り用弾性部材１５の直下に位置する複数条の第１弾性部材２０と、第１弾性部材２０の直下に位置する複数条の第２弾性部材２１とから形成されている。第１および第２弾性部材２０，２１は、内側シート１３と外側シート１４との間に介在している。
【００１９】
第１および第２弾性部材２０，２１は、ベースシート２の側縁９近傍に延びる両端部２２，２３と、パネル３を横切る中央部２４，２５と、パネル３の両側部８の外側に位置して両端部２２，２３と中央部２４，２５との間に延びる残余部２６，２７とを有する。第１弾性部材２０の中央部２４は、パネル３の両端部７を横切っている。
【００２０】
第１弾性部材２０の両端部２２は、内側シート１３の外面と外側シート１４の内面とにホットメルト型接着剤３６を介して固着されている。第１弾性部材２０の中央部２４は、前後胴周り域４，６において内側シート１３の外面にホットメルト型接着剤３７を介して固着されている。第１弾性部材２０の残余部２６は、内側シート１３と外側シート１４とに固着されておらず、それらシート１３，１４から遊離している。なお、第１弾性部材２０の両端部２２と中央部２４とは、内側シート１３と外側シート１４との少なくとも一方に固着されていればよい。
【００２１】
第２弾性部材２１の両端部２３は、内側シート１３の外面と外側シート１４の内面とにホットメルト型接着剤３８を介して固着されている。第２弾性部材２１の中央部２５と残余部２７とは、内側シート１３と外側シート１４とに固着されておらず、それらシート１３，１４から遊離している。なお、第２弾性部材２１の両端部２３は、内側シート１３と外側シート１４との少なくとも一方に固着されていればよい。
【００２２】
インジケーションシート１８は、内側シート１３と外側シート１４との間に介在し、その外面が外側シート１４の内面にホットメルト型接着剤（図示せず）を介して固着されている。インジケーションシート１８には、通気不透液性プラスチックフィルムが使用されている。表示要素１９は、インジケーションシート１８の外面に印刷された熊の顔のイラストである。
【００２３】
脚周り用弾性部材１７は、ベースシート２に取り付けられた第３弾性部材２８と、パネル３に取り付けられた第４弾性部材２９とから形成されている。第３弾性部材２８は、内側シート１３と外側シート１４との間に介在し、それらシート１３，１４の内外面に間欠的に塗布されたホットメルト型接着剤３９を介して固着されている。第３弾性部材２８は、前胴周り域４の側から股下域５の中央部へ向かって凸となる弾性部材２８と、後胴周り域６の側から股下域４の中央部へ向かって凸となる弾性部材２８とから形成されている。それら弾性部材２８は、脚周り開口１２の縁部を脚周り方向へ延びる両側部分２８ａと、股下域５の中央部を横切る中央部分２８ｂとを有する。
【００２４】
パネル３は、縦方向へ長い矩形を呈し、肌当接側に位置する透液性表面シート３０と、肌非当接側に位置する不透液性裏面シート３１と、表裏面シート３０，３１の間に介在する吸液性コア３２とから形成されている。パネル３の両端部７は、ベースシート２の縁部の内側に位置している。パネル３では、それを形成する裏面シート３１の外面全域が内側シート１３の内面にホットメルト型接着剤（図示せず）を介して間欠的に固着されている。なお、パネル３は、その両端部７における裏面シート３１の外面が内側シート１３の内面に固着され、両端部７を除く残余の部位が内側シート１３から遊離していてもよい。
【００２５】
表面シート３０と裏面シート３１とは、コア３２の両端縁３２ａから縦方向外方へ延びる両端縁部３０ａ，３１ａと、コア３２の両側縁３２ｂから胴周り方向外方へ延びる両側縁部３０ｂ，３１ｂとを有する。両端縁部３０ａ，３１ａと両側縁部３０ｂ，３１ｂとでは、表裏面シート３０，３１の内面が互いに重なり合った状態で固着されている。表裏面シート３０，３１の両側縁部３０ｂ，３１ｂは、前後胴周り域４，６において物品１Ａの胴周り方向方へ向かって折曲されている。前後胴周り域４，６に位置する表裏面シート３０，３１の両側縁部３０ｂ，３１ｂは、物品１Ａの胴周り方向内方へ倒伏した状態にあり、互いに当接する表面シート３０の外面どうしが固着されている。第４弾性部材２９は、表裏面シート３０，３１の間に介在し、それらシート３０，３１の両側縁部３０ｂ，３１ｂの内面に固着されている。
【００２６】
物品１Ａでは、脚周り用弾性部材１７を形成する第３弾性部材２８の両側部分２８ａと第４弾性部材２９とが交差し、第３および第４弾性部材２８，２９が脚周り開口１２の縁部において実質的に環状を形成している。物品１Ａでは、それら弾性部材２８，２９が協同して着用者の脚周りを締め付ける。
【００２７】
物品１Ａは、第１弾性部材２０の中央部２４が前後胴周り域４，６において内側シート１３に固着されているので、物品１Ａの着用中に着用者の腹部や臀部の動きが第１弾性部材２０に伝わったとしても、第１弾性部材２０の中央部２４が縦方向へずれ動くことはなく、それら第１弾性部材２０が前後胴周り域４，６において一箇所に集まることはない。物品１Ａでは、第１弾性部材２０が束を形成することはなく、着用者の腹部や臀部が局所的に締め付けられてしまうことはない。
【００２８】
物品１Ａでは、第１弾性部材２０の中央部２４がパネル３の両端部７から外れてしまうことはなく、胴周り方向内方へ収縮した第１弾性部材２０の中央部２４がパネル３の両端部７を着用者の腹部や臀部に向かって押し当てるように作用するので、前後胴周り域４，６に位置するパネル３の両端部７における排泄物吸収機能が低下することはない。
【００２９】
物品１Ａでは、第１および第２弾性部材２０，２１の残余部２６，２７と第２弾性部材２１の中央部２５とが内外側シート１３，１４に固着されていないので、それら弾性部材２０，２１が胴周り方向内方へ収縮したとしても、残余部２６，２７と中央部２５とが延びる部位においてベースシート２に多数のギャザーが生じることはなく、ベースシート２の触感や美観が向上する。また、インジケーションシート１８が第２弾性部材２１の中央部２５が延びる部位に配置されているので、ベースシート２のみならず、インジケーションシート１８にもギャザーが生じることはなく、それに印刷された表示要素１９が見難くなってしまうことはない。
【００３０】
図５，６は、他の一例として示す着用物品１Ｂの斜視図と、前後胴周り域４，６の連結を解除した状態で示す図５の物品１Ｂの部分破断展開平面図とであり、図７は、図６のＩＩＩ−ＩＩＩ線端面図である。図５，６では、胴周り方向を矢印Ｘ、縦方向を矢印Ｙで示し、脚周り方向を矢印Ｚ（図５のみ）で示す。
【００３１】
物品１Ｂは、ベースシート２と、ベースシート２の内側に固着された液吸収パネル３とから構成され、胴周り開口１１とその下方に一対の脚周り開口１２とを有する点において図１の物品１Ａと同一である。物品１Ｂでは、ベースシート２が互いに対向する前後胴周り域４，６およびそれら胴周り域４，６の間に位置する股下域５を画成し、パネル３がベースシート２の前後胴周り域４，６間に延びている。パネル３は、ベースシート２の前後胴周り域４，６に位置して胴周り方向へ延びる両端部７と、ベースシート２の前後胴周り域４，６間に延びる両側部８とを有する。
【００３２】
この物品１Ｂが図１のそれと異なる点は、第１および第２弾性部材２０，２１の間に位置して内側シート１３（第１シート）と外側シート１４（第２シート）とを固着する多数の固着部３３がそれら弾性部材２０，２１の残余部２６，２７が延びる部位に形成され、さらに、第１および第２弾性部材２０，２１の間に位置して内側シート１３と外側シート１４とを固着する多数の固着部３４が前後胴周り域４，６に延びるパネル３の両側部８に位置していることにある。ベースシート２を形成する内側シート１３と外側シート１４とには、疎水性繊維不織布が使用されている。固着部３３，３４では、内側シート１３と外側シート１４とを形成する不織布の構成繊維どうしが互いに融着している。
【００３３】
ベースシート２の前後胴周り域４，６における胴周り開口１１の縁部１１ａには、胴周り方向へ延びる複数条の胴周り用弾性部材１５が収縮可能に取り付けられている。ベースシート２の前後胴周り域４，６における胴周り用弾性部材１５と脚周り開口１２との間には、縦方向へ所与寸法離間して胴周り方向へ延びる複数条の補助弾性部材１６が収縮可能に取り付けられている。ベースシート２の股下域５における脚周り開口１２の縁部１２ａには、脚周り方向へ延びる複数条の脚周り用弾性部材１７が収縮可能に取り付けられている。ベースシート２の前後胴周り域４，６には、熊の顔のイラスト（表示要素１９）が印刷されたインジケーションシート１８が取り付けられている。
【００３４】
胴周り用弾性部材１５は、内側シート１３と外側シート１４との間に介在し、それらシート１３，１４の内外面に間欠的に塗布されたホットメルト型接着剤３５を介して固着されている。脚周り用弾性部材１７は、ベースシート２に取り付けられた第３弾性部材２８と、パネル３に取り付けられた第４弾性部材２９とから形成されている。第３弾性部材２８は、内側シート１３と外側シート１４との間に介在し、それらシート１３，１４の内外面に間欠的に塗布されたホットメルト型接着剤３９を介して固着されている。インジケーションシート１８は、内側シート１３と外側シート１４との間に介在し、その外面が外側シート１４の内面にホットメルト型接着剤（図示せず）を介して固着されている。インジケーションシート１８には、通気不透液性プラスチックフィルムが使用されている。
【００３５】
補助弾性部材１６は、胴周り用弾性部材１５の直下に位置する複数条の第１弾性部材２０と、第１弾性部材２０の直下に位置する複数条の第２弾性部材２１とから形成されている。第１および第２弾性部材２０，２１は、内側シート１３と外側シート１４との間に介在している。
【００３６】
第１および第２弾性部材２０，２１は、ベースシート２の側縁９近傍に延びる両端部２２，２３と、パネル３を横切る中央部２４，２５と、パネル３の両側部８の外側に位置して両端部２２，２３と中央部２４，２５との間に延びる残余部２６，２７とを有する。第１および第２弾性部材２０，２１の両端部２２，２３は、内側シート１３の外面と外側シート１４の内面とに固着されている。第１弾性部材２０の中央部２４は、内側シート１３の外面と外側シート１４の内面とに固着されている。第１および第２弾性部材２０，２１の残余部２６，２７と第２弾性部材２１の中央部２５とは、内側シート１３と外側シート１４とに固着されておらず、それらシート１３，１４から遊離している。
【００３７】
パネル３は、透液性表面シート３０と、不透液性裏面シート３１と、表裏面シート３０，３１の間に介在する吸液性コア３２とから形成されている。パネル３では、それを形成する裏面シート３１の外面全域が内側シート１３の内面に間欠的に塗布されたホットメルト型接着剤を介して固着されている。第４弾性部材２９は、表裏面シート３０，３１の間に介在し、それらシート３０，３１の両側縁部３０ｂ，３１ｂの内面に固着されている。
【００３８】
物品１Ｂでは、第１弾性部材２０の中央部２４が前後胴周り域４，６において内外側シート１３，１４に固着されているので、物品１Ｂの着用中に着用者の腹部や臀部の動きが第１弾性部材２０に伝わったとしても、第１弾性部材２０が縦方向へずれ動くことはなく、第１弾性部材２０が前後胴周り域４，６において一箇所に集まることはない。また、第１弾性部材２０の中央部２４がパネル３の両端部７から外れてしまうことはなく、胴周り方向内方へ収縮した第１弾性部材２０の中央部２４がパネル３の両端部７を着用者の腹部や臀部に向かって押し当てるように作用するので、前後胴周り域４，６に位置するパネル３の両端部７における排泄物吸収機能が低下することはない。
【００３９】
弾性部材２０，２１の残余部２６，２７が延びる部位では、内外側シート１３，１４が多数の固着部３３を介して固着されているので、部位において第１および第２弾性部材２０，２１が縦方向へずれ動くことはない。物品１Ｂでは、胴周り方向内方へ収縮した第１および第２弾性部材２０，２１が前後胴周り域４，６に位置するパネル３の全域を着用者の腹部や臀部に向かって押し当てるように作用するので、前後胴周り域４，６に位置するパネル３の排泄物吸収機能が低下することはない。
【００４０】
この物品１Ｂでは、多数の固着部３４が前後胴周り域４，６に延びるパネル３の両側部８に位置しているので、特に変形し易いパネル３の両側部８の動きが第１および第２弾性部材２０，２１に伝わったとしても、それら弾性部材２０，２１が縦方向へずれ動くことはなく、それら弾性部材２０，２１が前後胴周り域４，６において一箇所に集まることを確実に防ぐことができる。
【００４１】
外側シート１３や内側シート１４には、通気不透液性プラスチックフィルム、疎水性繊維不織布どうしを重ね合わせた複合不織布、疎水性繊維不織布と通気不透液性プラスチックフィルムとを重ね合わせた複合シートのいずれかを使用することもできる。
【００４２】
表面シート３０には、親水性繊維不織布、多数の開孔を有する疎水性繊維不織布、微細な多数の開孔を有するプラスチックフィルムのいずれかを使用することができる。裏面シート３１には、疎水性繊維不織布、通気不透液性プラスチックフィルム、疎水性繊維不織布どうしを重ね合わせた複合不織布、疎水性繊維不織布と通気不透液性プラスチックフィルムとを重ね合わせた複合シートのいずれかを使用することができる。
【００４３】
不織布には、スパンレース、ニードルパンチ、メルトブローン、サーマルボンド、スパンボンド、ケミカルボンド、エアースルー、の各製法により製造されたものを使用することができる。不織布の構成繊維には、ポリオレフィン系、ポリエステル系、ポリアミド系、の各繊維、ポリエチレン／ポリプロピレンやポリエチレン／ポリエステルからなる芯鞘型複合繊維または並列型複合繊維を使用することができる。
【００４４】
コア３２は、フラッフパルプと高吸収性ポリマー粒子との混合物、または、フラッフパルプと高吸収性ポリマー粒子と熱可塑性合成樹脂繊維との混合物であり、所定の厚みに圧縮されている。コア３２は、それの型崩れやポリマー粒子の脱落を防止するため、全体がティッシュペーパーや親水性繊維不織布等の透液性シートに被覆されていることが好ましい。ポリマー粒子としては、デンプン系、セルロース系、合成ポリマー系のものを使用することができる。
【００４５】
表面シート３０と裏面シート３１との固着、表裏面シート３０，３１に対する弾性部材２９の固着、表裏面シート３０，３１に対するコア３２の固着には、ホットメルト型接着剤、または、ヒートシールやソニックシール等の熱による溶着手段を利用することができる。なお、それら図示の物品１Ａ，１Ｂでは、補助弾性部材１６が前後胴周り域４，６のうちの少なくとも前胴周り域４に取り付けられていればよく、後胴周り域５に取り付けられた補助弾性部材１６を省くこともできる。
【００４６】
【発明の効果】
本発明にかかるパンツ型の使い捨て着用物品によれば、パネルを横切る第１弾性部材の中央部が第１および第２シートの少なくとも一方に固着されているので、物品の着用中に着用者の腹部や臀部の動きが第１弾性部材に伝わったとしても、第１弾性部材が胴周り域において一箇所に集まることはない。この物品では、第１弾性部材が束を形成することはなく、着用者の腹部や臀部が局所的に締め付けられてしまうことはない。また、第１弾性部材の中央部がパネルの両端部から外れてしまうことはなく、第１弾性部材の収縮力を利用してパネルの両端部を着用者の腹部や臀部に向かって押し当てることができるので、パネルの両端部における排泄物吸収機能を十分に利用することができる。
【００４７】
この物品では、第１および第２弾性部材の残余部と第２弾性部材の中央部とが第１および第２シートに固着されていないので、それら弾性部材が胴周り方向内方へ向かって収縮したとしても、残余部と中央部とが延びる部位においてベースシートに多数のギャザーが生じることはなく、ベースシートの触感や美観が向上する。
【００４８】
インジケーションシートが第２弾性部材の中央部が延びる部位に配置された物品では、ベースシートのみならず、インジケーションシートにもギャザーが生じることはなく、それに形成された表示要素が見難くなってしまうことはない。
【００４９】
第１および第２弾性部材の残余部が延びる部位において、第１および第２シートが多数の固着部を介して固着された物品では、前記部位において第１および第２弾性部材が縦方向へずれ動くことはない。この物品では、第１および第２弾性部材の収縮力を利用して前後胴周り域に位置するパネルの全域を着用者の腹部や臀部に向かって押し当てることができるので、前後胴周り域に位置するパネルの排泄物吸収機能を十分に利用することができる。
【００５０】
第１および第２シートが固着された多数の固着部が前後胴周り域に延びるパネルの両側部に位置する物品では、特に変形し易いパネルの両側部の動きが第１および第２弾性部材に伝わったとしても、それら弾性部材が縦方向へずれ動くことはなく、それら弾性部材が前後胴周り域において一箇所に集まることを確実に防ぐことができる。
【図面の簡単な説明】
【図１】一例として示す着用物品の斜視図。
【図２】前後胴周り域の連結を解除した状態で示す図１の物品の部分破断展開平面図。
【図３】図２のＩ−Ｉ線矢視断面図。
【図４】図２のＩＩ−ＩＩ線端面図。
【図５】他の一例として示す着用物品の斜視図。
【図６】前後胴周り域の連結を解除した状態で示す図５の物品の部分破断展開平面図。
【図７】図６のＩＩＩ−ＩＩＩ線端面図。
【符号の説明】
１Ａ　　　　　パンツ型の使い捨て着用物品
１Ｂ　　　　　パンツ型の使い捨て着用物品
２　　　　　　ベースシート
３　　　　　　液吸収パネル
４　　　　　　前胴周り域
５　　　　　　股下域
６　　　　　　後胴周り域
７　　　　　　両端部
８　　　　　　両側部
９　　　　　　側縁
１１　　　　　　胴周り開口
１１ａ　　　　　縁部
１２　　　　　　脚周り開口
１２ａ　　　　　縁部
１３　　　　　　第１シート（内側シート）
１４　　　　　　第２シート（外側シート）
１５　　　　　　胴周り用弾性部材
１６　　　　　　補助弾性部材
１７　　　　　　脚周り用弾性部材
１８　　　　　　インジケーションシート
１９　　　　　　表示要素
２０　　　　　　第１弾性部材
２１　　　　　　第２弾性部材
２２　　　　　　両端部
２３　　　　　　両端部
２４　　　　　　中央部
２５　　　　　　中央部
２６　　　　　　残余部
２７　　　　　　残余部
３０　　　　　　透液性表面シート
３１　　　　　　不透液性裏面シート
３２　　　　　　吸液性コア
３３　　　　　　固着部
３４　　　　　　固着部
【図１】
2004089403.tif 000003
【図２】
2004089403.tif 000004
【図３】
2004089403.tif 000005
【図４】
2004089403.tif 000006
【図５】
2004089403.tif 000007
【図６】
2004089403.tif 000008
【図７】
2004089403.tif 000009